(57)【要約】【課題】  不要なメールを受信した場合において、なるべく操作の少ない削除方法を提供する。【解決手段】  通信部６がメールを受信すると、メールＤＢ３ａへ保存し、現在起動中のプログラムを停止する。そして、ポップアップ処理を起動させ、表示部４へ「今すぐ読む」「あとで読む」「今すぐ消す」の文字と、受信したメールの発信者アドレス（発信者名）を表示し、利用者へ選択させる。利用者が「今すぐ消す」を選択すると、制御部２はメールＤＢ３ａに保存した受信メールを削除するように命令し、メールＤＢ３ａに保存された受信メールが削除される。【選択図】  図２
2006004161.tif 000002
【特許請求の範囲】
【請求項１】
メールを受信した場合に削除するメール削除方法であって、
前記メールを受信した場合、少なくとも前記メールを受信した旨と、前記受信したメールを削除処理可能である旨とを示す選択画面を表示し、
前記選択画面の表示において前記受信したメールの削除処理を選択された場合、前記受信したメールを削除すること
を特徴とするメール削除方法。
【請求項２】
前記選択画面は、更に前記受信したメールに含まれる発信者情報を表示することを特徴とした請求項１に記載のメール削除方法。
【請求項３】
前記選択画面は、
更に受信したメールの発信者アドレスと対応づけられた名称がアドレス帳に登録されている場合、
前記名称を表示することを特徴とした請求項１に記載のメール削除方法。
【請求項４】
メールの送受信を処理する制御部と、
前記受信したメールを保存するメモリと、
前記受信したメールを表示することができる表示部と、
キー入力を行うことができる入力部とを備え、
メールを受信した場合、前記メモリに前記受信したメールを保存し、
前記制御部は、少なくとも受信メールを受信した旨と、前記受信したメールを削除処理可能である旨とを示した選択画面を前記表示部に表示し、
前記入力部によって、前記受信したメールの削除処理を選択された場合、前記受信したメールを削除すること
を特徴とする携帯情報端末。
【請求項５】
前記選択画面は、更に受信したメールに含まれる発信者情報を表示することを特徴とした請求項４に記載の携帯情報端末。
【請求項６】
前記選択画面は、
更に前記受信したメールの発信者アドレスと対応づけられた名称が前記メモリに登録されている場合、
前記名称を表示することを特徴とした請求項４に記載の携帯情報端末。 
【発明の詳細な説明】
【技術分野】
【０００１】
本発明はメール削除方法、および携帯情報端末に関する。
【背景技術】
【０００２】
近年、携帯型の情報機器の進歩および普及にはめざましいものがある。特に、携帯電話機においては、一般通話サービスのほかに、インターネットを通じたＷｅｂアクセス、電子メールなどを行うサービスも提供されるようになっており、それぞれのサービスについて、携帯電話機の利用者に使いやすいものとなるように様々な開発・改良がなされている。
【０００３】
現在の携帯電話における電子メール機能においては、待受中に電子メールを受信した場合にメールを受信した旨を利用者に知らせる機能はもちろん、Ｗｅｂアクセス中あるいは電話帳作成中等、電話通話中以外の操作中に電子メールを受信した場合においても、利用者に電子メールを受信した旨を伝え、利用者がすぐメールの内容を読むことを望めば、今まで操作していたＷｅｂブラウザあるいは電話帳を閉じることなくメールの内容を読むことができる機能が搭載されている（例えば特許文献記載の電子メール機能搭載の携帯端末）。これによって、電子メール機能を備えた携帯端末は使いやすいものになっている。
【特許文献１】特開平１１−１１２５５６号公報（４頁、図３参照）
【発明の開示】
【発明が解決しようとする課題】
【０００４】
現在の携帯電話機は使いやすいものになったが、電子メールサービスを用いて迷惑・猥褻メールを無差別的に一般利用者へ送付するという、新たな社会問題も生じている。現在の携帯電話機における電子メール機能において上記のような迷惑・猥褻メールを受信した場合、利用者はメールを消去する操作を望むが、その際には本文を一度見る操作、または受信したメールの一覧を見る操作を行ってから消去操作を行うという操作が必要であった。そのため、利用者は迷惑・猥褻なメールにおける迷惑・猥褻な本文あるいは題名を少なくとも見なければメールを消去することができず、利用者にとって不快感を得ることがあった。また、迷惑・猥褻なメールを消去する際には、利用者が複数の操作を行う必要があった。
【０００５】
本発明は上記問題点を解決したものであって、利用者が電子メールを受信した場合、受信したメールが不要なものであると判断した場合、少ない処理で、メールの内容を見ることなく、消去することのできる、利用者にとって使いやすいメール削除方法および携帯情報端末を提供することを目的とする。
【課題を解決するための手段】
【０００６】
本発明のメール削除方法は、メールを受信した場合に削除するメール削除方法であって、前記メールを受信した場合、少なくとも前記メールを受信した旨と、前記受信したメールを削除処理可能である旨とを示す選択画面を表示し、前記選択画面の表示において前記受信したメールの削除処理を選択された場合、前記受信したメールを削除することを特徴とする。
【０００７】
また、本発明の携帯情報端末は、メールの送受信を処理する制御部と、前記受信したメールを保存するメモリと、前記受信したメールを表示することができる表示部と、キー入力を行うことができる入力部とを備え、メールを受信した場合、前記メモリに前記受信したメールを保存し、前記制御部は、少なくとも受信メールを受信した旨と、前記受信したメールを削除処理可能である旨とを示した選択画面を前記表示部に表示し、前記入力部によって、前記受信したメールの削除処理を選択された場合、前記受信したメールを削除することを特徴とする。
【発明の効果】
【０００８】
本発明によれば、利用者が電子メールを受信した場合、受信したメールが不要なものであると判断した場合、少ない処理で、メールの内容を見ることなく、消去することのできるような、利用者にとって使いやすい携帯情報端末を提供することができる。
【発明を実施するための最良の形態】
【０００９】
以下に、本発明の実施の形態を説明する。
【実施例】
【００１０】
本発明における携帯情報端末の実施の形態を図面を用いて説明する。図１は、本発明を携帯電話機において実施した場合におけるブロック図を示している。携帯電話機１の内部には、携帯電話機１全体の制御を行う制御部２と、ＲＡＭなどで構成される記憶部３と、ＬＣＤなどで構成される表示部４と、キーボードなどで構成される入力部５と、アンテナ７を用いて無線通信制御を行う通信部６とを備えており、制御部２によって全体が制御されている。
【００１１】
記憶部３は、制御部２が実行するプログラム、各種の情報データなどが保存されている。また、記憶部３の内部はメールＤＢ３ａが存在する。メールＤＢ３ａは、図示しないメールサーバより通信部６が受信した電子メールを蓄積しておく機能を有する。
【００１２】
表示部４は、例えばＬＣＤの表示装置であり、制御部２から出力される表示データが表示される。そして、制御部２からの新たな起動がない限り、表示部４には同じ内容が表示される。
【００１３】
入力部５は、数字キーや文字キー、メール編集の決定・中止などのファンクションキー
を含む複数のキーからなり、利用者が入力操作したキー入力に応じて、キーを識別する識別信号を制御部２へ通知し、制御部２がその動作を開始する。なお、例えば数字キー「１」に文字「あ」、「い」、「う」、「え」、「お」、「＠」を割り当てるといったように、同じキーに複数の数字・文字・記号を割り当てたものであっても良い。
【００１４】
通信部６は、制御部２によって命令された情報を、無線通信によって送信したり、メールサーバより無線通信によって送られた情報を受信したりする機能を有する。また、電話機能による通話の際も、通信部６を通じて通話が行われる。
【００１５】
次に、本発明の携帯電話機１がメールを受信した場合における受信動作および表示部４の表示について、図２乃至図５によって説明する。図２は、携帯電話機１がメールサーバよりメールを受信した場合の動作を示したフローチャートである。また、図３乃至図５は携帯電話機１がメールサーバよりメールを受信した場合の動作中に表示部４に表示される画面の状態を示したものである。
【００１６】
まず、携帯電話機１がメールサーバよりメールを受信すると（ステップ１０１ａ）、制御部２は、記憶部３内のメールＤＢ３ａへ保存させる（ステップ１０１ｂ）。次に、携帯電話機１が通話中か否かを判断する（ステップ１０２）。そしてステップ１０２において、通話中でない場合は、ステップ１０３へ進む（ステップ１０２の「ＮＯ」方向）。
【００１７】
次に、携帯電話機１が受信したメールを、メールＤＢ３ａに保存すると、受信完了した
旨の情報を制御部２へ送る。その後、制御部２は、表示部４に表示されている画面が待受画面か否かを判断する（ステップ１０３）。そして、表示部４に表示されている画面が待受画面であった場合（ステップ１０３の「待受画面」方向）、制御部２は受信メール処理タスクを起動するように制御する（ステップ１０４ｂ）。そして、図３（ａ）乃至（ｆ）の受信アニメーションを表示部４へ表示させる（ステップ１０５ｂ）。なお、メールの送信者が優先度を低く設定してメールを送るように設定した場合は、ステップ１０５ｂにおける受信アニメーションを表示部４へ表示させないよう設定してもよいし、受信アニメーションのかわりに、ピクト表示をしてもよい。そして、ステップ１０５ｂにおいて、受信アニメーションを表示部４へ表示した後は、利用者が通常のメール操作を行うことによって、メールの本文を読むこともできるし（ステップ１０６ｂ）、メール受信前の待受状態へ戻ることもできる（図２の（１）方向）。
【００１８】
また、ステップ１０３において、表示部４に表示されている画面が待受画面以外であった場合（ステップ１０３の「待受画面以外」方向、例えば表示部が図５（ａ）の図の表示状態の場合）、制御部２は、ポップアップ処理を起動させるように制御する。更に、現在表示部４に表示されている機能のプログラムを停止させる（ステップ１０４ａ）。
【００１９】
その後、ステップ１０４においてポップアップ処理が起動すると、制御部２はステップ１０１において受信したメールの発信者情報と、「今すぐ読む」、「あとで読む」、「今すぐ消す」の文字またはそれを示す表示を表示部４へ表示させ、「今すぐ読む」、「あとで読む」、「今すぐ消す」のいずれかを利用者に選択させるようにする（ステップ１０５ａ）。ここでメールの発信者情報とは、例えば受信したメールの発信者アドレスなどの情報である。また、メールの発信者アドレスが記憶部３の内部にある図示しない電話帳ＤＢに登録されていたメールアドレスであった場合、そのアドレスに対応する名前を表示してもよい。更に、添付ファイルの有無（文字でもイラストでもよいし、写真・ムービー等のファイルの種類を示す文字・イラストでもよい）を表示してもよいし、発信者識別情報（例えば電話帳ＤＢに登録された写真）を表示してもよい。ステップ１０５ａにおける表示部４の表示は、例えば図４（ａ）のような図であって、「今すぐ読む」文字４１、「あとで読む」文字４２、「今すぐ消す」文字４３、メール発信者情報４４、発信者識別情報４５、添付ファイルの有無表示４６など表示部４へ表示される。
【００２０】
次に、利用者が入力部５によってステップ１０５ａで示された「今すぐ読む」、「あとで読む」、「今すぐ消す」のいずれかを選択すると、その入力情報を制御部２が検出する（ステップ１０６ａ）。ここで、利用者が表示部４に表示された「今すぐ読む」文字４１を入力部５によって選択した場合（ステップ１０６ａの「今すぐ読む」方向）、制御部２は、メール表示処理を起動させて、制御部２はステップ１０２においてメールＤＢ３ａへ保存したメールを表示部４へ表示させる（ステップ１０７ｂ）。その後は、通常のメール操作を行ってメールの返信を行うことができるし（ステップ１０８ｂ）、ステップ１０７ｂの状態で、入力部５によって特定のキーを押下すると後述のステップ１１０へ進むこともできる。また、ステップ１０７ｂの状態で、入力部５によって特定キーを押下するとステップ１０５ａへ戻るように設定してもよい。その際には、「今すぐ消す」文字４３を入力部５によって選択できないように設定してもよい。
【００２１】
また、ステップ１０６ａにおいて、利用者が表示部４に表示された「あとで読む」文字４２を入力部５によって選択した場合（ステップ１０６ａの「あとで読む」方向）、後述のステップ１１０へ進む。
【００２２】
また、ステップ１０６ａにおいて、利用者が表示部４に表示された「今すぐ消す」文字４３を入力部５によって選択した場合（ステップ１０６ａの「今すぐ消す」方向）、ポップアップを更に重ねて表示し（例えば図４（ｂ）のようなポップアップを図４（ａ）に重ねて表示する）、利用者へ再度メールを削除しても良いか否かを選択させる（ステップ１０７ａ）。このステップ１０７ａにおいて、利用者が入力部５を用いて削除しないように操作した場合（例えば図４（ｂ）における「ＮＯ」を選択した場合）、後述のステップ１１０へ進む（ステップ１０７ａの「削除しない」方向）。
【００２３】
また、ステップ１０７ａにおいて、利用者が入力部５を用いて削除するように操作した場合（例えば図４（ｂ）における「ＹＥＳ」を選択した場合、ステップ１０７ａの「削除する」方向）、制御部２は、ステップ１０２においてメールＤＢ３ａへ保存した受信メールを削除させる（ステップ１０８ａ）。その後、制御部２はメールＤＢ３ａから削除完了の旨の信号を受けたか否かを判断する（ステップ１０９）。そして、制御部２は削除信号を受けると（ステップ１０９の「ＹＥＳ」方向）、削除した旨を表示部４へ表示させる（例えば図５（ｂ）のように表示する）。その後、ステップ１１０へ進む。なお、ステップ１０８・ステップ１０９における受信メール削除動作は、これに限定されない。例えば、ステップ１０８において制御部２が通信部６へメールサーバに残っている残りのメールを削除させるように命令させ、更にステップ１０９においてメールサーバから削除完了の旨の信号を通信部６が受けると、制御部２へその信号を送信し、ステップ１１０へ進むように設定しても良いし、メールサーバおよびメールＤＢ３ａ双方のメールを削除するように設定しても良い。
【００２４】
また、ステップ１０９において、メールＤＢ３ａおよびメールサーバからの削除完了の旨の信号を受け取る前にステップ１１０へ進むように設定しても良い。
【００２５】
その後、制御部２は、ポップアップ処理を終了させて、ステップ１０４ａにおいて停止させていたプログラムを再度起動させる（ステップ１１０）。
【００２６】
なお、ここでは本発明を携帯電話機に適用した場合について説明したが、これに限定されることなく、メール機能を有するすべての携帯情報端末に適用可能である。
【００２７】
本発明によれば、迷惑・猥褻メールなど不要なメールを受信した場合において、ポップアップに表示される発信者アドレスあるいは発信者名よって、不要メールか必要なメールかを判断し、不要メールについて、わざわざメール本文を開いてから削除するという利用者のわずらわしい操作が必要ではなくなるため、より使いやすい携帯情報端末を提供することができる。
【図面の簡単な説明】
【００２８】
【図１】本発明の携帯電話機１におけるブロック図。
【図２】本発明の携帯電話機１がメールを受信した場合における動作を示したフローチャート。
【図３】本発明の携帯電話機１がメールを受信した場合における表示部４の表示内容の一例を示した図。
【図４】本発明の携帯電話機１がメールを受信した場合における表示部４のポップアップ表示の内容の一例を示した図。
【図５】本発明の携帯電話機１における表示部４の表示内容の一例を示した図。
【符号の説明】
【００２９】
１  携帯電話機
２  制御部
３  記憶部
３ａ  メールＤＢ
４  表示部
５  入力部
６  通信部
７  アンテナ
【図１】
2006004161.tif 000003
【図２】
2006004161.tif 000004
【図３】
2006004161.tif 000005
【図４】
2006004161.tif 000006
【図５】
2006004161.tif 000007
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
受信したメールを記憶する記憶部と、
受信したメールを表示する表示部と、
キー入力を行う入力部と、
メールを受信した場合、該受信したメールを前記記憶部に記憶し、
少なくとも前記メールを受信した旨と、前記受信したメールを削除処理可能である旨とを示した選択画面を前記表示部に表示し、
前記入力部によって、前記受信したメールの削除処理を選択された場合、前記記憶部に記憶したメールを削除する制御部と
を有することを特徴とする携帯情報端末。
【請求項２】
受信したメールを記憶する記憶部と、
受信したメールを表示する表示部と、
キー入力を行う入力部と、
メールを受信した場合、該受信したメールを前記記憶部に記憶し、
少なくとも前記メールを受信した旨と、前記受信したメールを削除処理可能である旨とを示した選択画面を前記表示部に表示し、
前記入力部によって、前記受信したメールの削除処理を選択された場合、前記受信したメール本文を表示することなく前記記憶部に記憶された受信メールを削除する制御部と
を有することを特徴とする携帯情報端末。
【請求項３】
前記選択画面は、更に受信したメールの発信者のアドレスを表示することを特徴とする請求項１または請求項２に記載の携帯情報端末。
【請求項４】
前記選択画面は、
更に前記受信したメールの発信者アドレスと対応づけられた名称が前記記憶部に登録されている場合、
前記名称を表示することを特徴とする請求項１または請求項２に記載の携帯情報端末。
【手続補正３】
【補正対象書類名】明細書
【補正対象項目名】０００１
【補正方法】変更
【補正の内容】
【０００１】
本発明は携帯情報端末に関する。
【手続補正４】
【補正対象書類名】明細書
【補正対象項目名】０００５
【補正方法】変更
【補正の内容】
【０００５】
本発明は上記問題点を解決したものであって、利用者が電子メールを受信した場合、受信したメールが不要なものであると判断した場合、少ない処理で、メールの内容を見ることなく、消去することのできる、利用者にとって使いやすい携帯情報端末を提供することを目的とする。
【手続補正５】
【補正対象書類名】明細書
【補正対象項目名】０００６
【補正方法】変更
【補正の内容】
【０００６】
本発明の携帯情報端末は、受信したメールを記憶する記憶部と、受信したメールを表示する表示部と、キー入力を行う入力部と、メールを受信した場合、該受信したメールを前記記憶部に記憶し、少なくとも前記メールを受信した旨と、前記受信したメールを削除処理可能である旨とを示した選択画面を前記表示部に表示し、前記入力部によって、前記受信したメールの削除処理を選択された場合、前記記憶部に記憶したメールを削除する制御部とを有することを特徴とする。
【手続補正６】
【補正対象書類名】明細書
【補正対象項目名】０００７
【補正方法】変更
【補正の内容】
【０００７】
また、本発明の携帯情報端末は、受信したメールを記憶する記憶部と、受信したメールを表示する表示部と、キー入力を行う入力部と、メールを受信した場合、該受信したメールを前記記憶部に記憶し、少なくとも前記メールを受信した旨と、前記受信したメールを削除処理可能である旨とを示した選択画面を前記表示部に表示し、前記入力部によって、前記受信したメールの削除処理を選択された場合、前記受信したメール本文を表示することなく前記記憶部に記憶された受信メールを削除する制御部とを有することを特徴とする。